(57)【要約】 【課題】  工事現場での弁筐の長さ（高さ）調整を楽に行うことができると共に、蓋受枠上面のＧＬとの位置合わせ並びに設置後の嵩上げ、嵩下げ工事を現行のねじ式弁筐より遙かに迅速且つ楽に行うことができる水道用ねじ式弁筐と、ユンボ等の吊り上げ機具を用いずに搬送及び設置作業を行うことができる水道用ねじ式弁筐を提供する。【解決手段】下部筐体１の係合部１ａに中間筐体２を嵌挿してボルト６で固定し、前記中間筐体２の上端に内面に雌ねじ３ａを設けた連繋部材３をボルト７で固定し、前記雌ねじ３ａに雄ねじ筐体４を螺合し、前記雄ねじ筐体４の上端に、蓋受枠５の雌ねじ５ａを螺合する。【選択図】図１
2018062835.tif 000002
【特許請求の範囲】
【請求項１】
上部内面に雌ねじを設けた円筒状の下部筐体と、前記雌ねじに螺合する雄ねじ筐体及び雄ねじ筐体の上端に下部を螺合させた蓋受枠を備えた上部筐体とから構成したことを特徴とする水道用ねじ式弁筐。
【請求項２】
下部筐体と、下部筐体に接続される中間筐体と、中間筐体の上端に接続される内面に雌ねじを設けた連繋部材と、連繋部材の前記雌ねじと螺合する雄ねじ筐体と、雄ねじ筐体の上部に螺合する蓋受枠とから構成したことを特徴とする水道用ねじ式弁筐。
【請求項３】
前記中間筐体を硬質塩化ビニール管としたことを特徴とする請求項２記載の水道用ねじ式弁筐。
【発明の詳細な説明】
【技術分野】
【０００１】
本発明は、仕切弁、空気弁、バタフライ弁などをカバーし、車両通行荷重、土圧等から保護する水道用ねじ式弁筐の改良に関するものである。
【背景技術】
【０００２】
現在一般に使用されている水道用ねじ式弁筐は、上部内面に雌ねじを設けた鋳物製の円筒状の下部筐体と、前記雌ねじに螺合し、上部に蓋受枠を一体に設けた鋳物製の円筒状の上部筐体とから構成したもので、これら下部筐体と上部筐体とは一体として工場から出荷され、現場に搬送されるものであるため、重量が大きく、設置作業にユンボ等の吊り上げ機具を必要とし、取扱に不便であり、また、埋め戻し後の嵩上げ嵩下げ時の上部筐体の回動操作を円滑に行い難いという問題があった。
【０００３】
すなわち、弁筐の長さ（高さ）調整を行った弁筐の埋設状態は、下部筐体から上昇した上部筐体に土圧が加わっているため、そのままでは上部筐体を嵩上げ又は嵩下げのために回動しようとしても摩擦抵抗が大きく、円滑に回動できず下部筐体から上昇した上部筐体の周囲の土砂を除去しなければ回動動作を円滑に行い難かった。
【先行技術文献】
【特許文献】
【０００４】
【非特許文献１】日本水道協会規格  ＪＷＷＡ  水道用ねじ式弁筐  （社）日本水道協会  平成１２年６月８日発行
【発明の概要】
【発明が解決しようとする課題】
【０００５】
本発明は、工事現場での弁筐の長さ（高さ）調整を楽に行うことができると共に、蓋受枠上面のＧＬとの位置合わせ並びに設置後の嵩上げ、嵩下げ工事を現行のねじ式弁筐より遙かに迅速且つ楽に行うことができる水道用ねじ式弁筐を提供することを第１の課題とするものである。またユンボ等の吊り上げ機具を用いずに搬送及び設置作業を行うことができる水道用ねじ式弁筐を提供することを第２の課題とするものである。
【課題を解決するための手段】
【０００６】
本発明は、上記の課題を解決するためになされたもので、請求項１記載の発明は、上部内面に雌ねじを設けた円筒状の下部筐体と、前記雌ねじに螺合する雄ねじ筐体及び雄ねじ筐体の上端に下部を螺合させた蓋受枠を備えた上部筐体とから構成したことを特徴とする水道用ねじ式弁筐である。なお、蓋受枠の下部は雄ねじ筐体の外側に螺合する形式でも、内側に螺合する形式でもよい。
【０００７】
請求項２記載の発明は、下部筐体と、下部筐体に接続される中間筐体と、中間筐体の上端に接続される内面に雌ねじを設けた連繋部材と、連繋部材の前記雌ねじと螺合する雄ねじ筐体と、雄ねじ筐体の上部に螺合する蓋受枠とから構成したことを特徴とする水道用ねじ式弁筐である。
【０００８】
請求項３記載の発明は、請求項２記載の発明において、前記中間筐体を硬質塩化ビニール管としたことを特徴とする水道用ねじ式弁筐である。
【０００９】
なお、本発明に係る弁筐の部材の材料としては、鋳物、鋼管、硬質塩化ビニール管等が使われる。
【発明の効果】
【００１０】
請求項１記載の発明は、上部筐体を、雄ねじ筐体とこの雄ねじ筐体の上端に下部を螺合させて蓋受枠とで構成したので、埋設後、雄ねじ筐体に土圧が加わっても、蓋受枠を回動することにより簡単且つ迅速に嵩上げ又は嵩下げを行うことができ、従って嵩上げ又は嵩下げ作業の能率を、従来のねじ式弁筐より遙かに向上させる効果がある。
【００１１】
請求項２記載の発明は、５個の部材より構成され、それらを分離可能の構成としたので、ユンボ等の吊り上げ機具を用いずとも人力のみによる組立設置作業を行うことができる利点があり、しかも、弁筐の長さ（高さ）の調整は二段構えになっていて、主調整をねじ筐体の回動により、そして、微調整並びに設置後の嵩上げ、嵩下げは蓋受枠の回動によって行うように構成されているので、使い勝手がよく、作業効率を従来のねじ式弁筐より遙かに向上させる効果がある。
【００１２】
請求項３記載の発明によれば、中間筐体を構成する硬質塩化ビニール管は、カッターで簡単に切断することができるので、現場の状況に合致した長さの弁筐を簡単かつ容易に構成することができる。従って、長さの異なる専用の中間筐体を多数用意しておく必要がないので、在庫管理上有益である。また、硬質塩化ビニール管は中間筐体を鋳物製又は鋼管製とした場合よりも軽量であるから、設置作業の能率を向上させる効果がある。
【図面の簡単な説明】
【００１３】
【図１】本発明の実施例の縦断面図である。
【実施例１】
【００１４】
図１は、本発明を仕切弁の弁筐に適用した場合の実施例の縦断面図である。図中、１は鋳物製の下部筐体、２は硬質塩化ビニール管から成る中間筐体、３は内面に雌ねじ３ａを設けた連繋部材、４は雄ねじ筐体、５は下部に前記雄ねじ筐体４と螺合する雌ねじ５ａを設けた蓋受枠で、雄ねじ筐体４と蓋受枠５とで上部筐体を構成する。
【００１５】
中間筐体２の下部は下部筐体１の係合部１ａに嵌挿され、ボルト６で固定されている。そして、中間筐体２の上部には連繋部材３がボルト７で固定され、前記連繋部材３に設けた雌ねじ３ａに雄ねじ筐体４が螺合されている。この実施例の場合、雄ねじ筐体４は、鋼管を旋盤加工して雄ねじ筐体としてものである。
【００１６】
そして、前記雄ねじ筐体４の上端には下部内面に雌ねじ５ａを設けた蓋受枠５が螺合されている。なお、蓋受枠５の下部外面に雄ねじを設け、雄ねじ筐体４の上部内面に設けた雌ねじに螺合する構成としてもよい。
【００１７】
次に本発明に係る上記ねじ式弁筐の現場における設置手順について説明すると、まず下部筐体１を設置し、次に予め用意した長めの硬質塩化ビニール管から成る中間筐体２を現場で適切な長さに截断した後、下端を下部筐体１の係合部１ａに嵌合させた後、ボルト６で固定し、次いで中間筐体２の周囲を埋め戻し、転圧した後、連繋部材３と蓋受枠５を螺合した雄ねじ筐体４を連繋部材３を介して中間筐体２に装着し、ボルト７で固定する。
【００１８】
そして雄ねじ筐体４を回動して、蓋受枠５の上面をＧＬと一致させた後、雄ねじ筐体４と蓋受枠５の周囲を埋め戻し、転圧後アスファルト舗装を施し弁筐の設置工事を完了する。
【００１９】
この設置工事の手順は、以上説明した手順に限定されるものではなく、例えば、予め、下部筐体１に中間筐体２を取付けたものを最初に設置するようにしてもよい。また、この実施例では、中間筐体２として長目の硬質塩化ビニール管を現場で適切な長さに切断する方法を採用したが、所定長さの中間筐体２を使用するようにしてもよいことは勿論である。
【００２０】
以上、本発明の利点であるユンボ等の吊り上げ機具を用いずに人力のみにより設置する場合の手順について説明したが、従来のねじ式弁筐と同様、一体に組立てた弁筐をユンボ等の吊り上げ機具を用いて設置するようにしてもよい。
【００２１】
本発明の最大の利点は、人力のみにより設置作業を行うことができるということだけではなく、弁筐を設置後、嵩上げ、嵩下げの必要が生じたとき、従来のねじ式弁筐よりも簡単かつ楽に調整及び補修工事を迅速に行うことが出来ることである。
【００２２】
即ち、従来のねじ式弁筐は、設置後上部筐体の雄ねじ部に土圧が加わっているため、嵩上げ、嵩下げを行う場合には、上部筐体の回動操作を容易にするため、雄ねじ部の周囲の土砂を取り除かなければならなかったが、本発明に係るねじ式弁筐では、必要に応じて若干蓋受枠周囲の舗装を取り除くだけで、嵩上げまたは嵩下げ作業を簡単かつ迅速に行うことができ、使い勝手がよく、その実用的効果は極めて甚大である。
【符号の説明】
【００２３】
１            下部筐体
１ａ          係合部
２            中間筐体
３            連繋部材
３ａ，５ａ    雌ねじ
４            雄ねじ筐体
５            蓋受枠
６，７        ボルト
【図１】
2018062835.tif 000003